【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
（ａ）マルチマイクロフォンアクティブノイズキャンセル（ＭＭＡＮＣ）を実施して、これによって、オーディオ基準信号と、ノイズ基準信号とを発生させることと、
（ｂ）デジタルオーディオ情報値のストリームにオーディオダイナミックレンジ制御（ＡＤＲＣ）を実施して、これによって、圧縮されたデジタルオーディオ情報値のストリームを発生させることと、
（ｃ）前記圧縮されたデジタルオーディオ情報値のストリームに自動音量制御（ＡＶＣ）を実施することと、
（ｄ）前記オーディオ基準信号と、前記ノイズ基準信号とを非線形処理して、単一の時間ドメイン信号へと結合させることと
を含み、前記ＡＶＣの利得は前記ノイズ基準信号の関数であり、
前記（ｄ）の処理は、前記オーディオ基準信号と、前記ノイズ基準信号とを周波数ドメイン中でブレークアップして、それぞれの基準信号の異なる帯域の複数のスペクトルコンポーネントに対して、可変利得を計算することを含む方法。
【請求項２】
前記（ａ）のＭＭＡＮＣ、前記（ｂ）のＡＤＲＣ、および、前記（ｃ）のＡＶＣは、プロセッサ上での命令の実行によって実施される動作であり、前記プロセッサは、移動体オーディオデバイスの一部である、請求項１記載の方法。
【請求項３】
前記方法はセルラ電話機によって行われ、前記（ａ）のＭＭＡＮＣはまた、ノイズキャンセルされたマイクロフォン信号の発生をもたらし、前記ノイズキャンセルされたマイクロフォン信号は、デジタル値のストリームであり、
前記方法は、
前記ノイズキャンセルされたマイクロフォン信号上に、ボコーダエンコーディング機能を実施することをさらに含む、請求項１記載の方法。
【請求項４】
前記（ｃ）のＡＶＣは、音量制御されたデジタル値のストリームを発生させ、
前記方法は、
前記音量制御されたデジタル値のストリームを、アナログ信号に変換することと、
前記アナログ信号を使用して、スピーカーを駆動することと
をさらに含む、請求項１記載の方法。
【請求項５】
前記（ｂ）のＡＤＲＣは、前記デジタルオーディオ情報値のストリームに対して利得を適用することを含み、前記利得は、前記デジタルオーディオ情報値のストリームの振幅の関数である、請求項１記載の方法。
【請求項６】
前記関数は、ノイズゲート部分、強調部分、一定利得部分、圧縮部分、およびリミッタ部分を含む、請求項５記載の方法。
【請求項７】
前記ステップ（ａ）、（ｂ）、および（ｃ）は、セルラ電話機上で実施され、オーディオ基準信号は、スピーチ基準信号である、請求項１記載の方法。
【請求項８】
前記ステップ（ａ）、（ｂ）、および（ｃ）は、デジタルオーディオプレーヤー上で実施される、請求項１記載の方法。
【請求項９】
前記（ａ）のノイズ基準信号を、制御値に変換することをさらに含み、前記制御値は、少なくとも部分的に、前記（ｃ）のＡＶＣの利得を決定する、請求項１記載の方法。
【請求項１０】
前記（ｃ）のＡＶＣの前記利得は、１）前記ノイズ基準信号と、２）利用可能なヘッドルームの量との両方の関数である、請求項１記載の方法。
【請求項１１】
第１のマイクロフォン信号と第２のマイクロフォン信号を受け取り、ノイズ基準信号を出力する、マルチマイクロフォンアクティブノイズキャンセル（ＭＭＡＮＣ）メカニズムと、
デジタルオーディオ情報値の第１のストリームを受け取って、デジタルオーディオ情報値の第２のストリームを出力する、オーディオダイナミックレンジ制御（ＡＤＲＣ）メカニズムと、
前記デジタルオーディオ情報値の第２のストリームを、利得によって増幅する、自動音量制御（ＡＶＣ）メカニズムと、
スピーチ基準信号と、前記ノイズ基準信号とを非線形処理して、単一の時間ドメイン信号へと結合させる非線形処理メカニズムと
を具備し、
前記利得は、前記ノイズ基準信号の関数として調整され、
前記非線形処理メカニズムは、前記スピーチ基準信号と、前記ノイズ基準信号とを周波数ドメイン中でブレークアップして、それぞれの基準信号の異なる帯域の複数のスペクトルコンポーネントに対して、可変利得を計算する集積回路。
【請求項１２】
前記ＭＭＡＮＣメカニズムは、ブラインド信号分離（ＢＳＳ）を実施し、前記ノイズ基準信号と、前記スピーチ基準信号との両方を発生させ、前記スピーチ基準信号は、比較的ノイズをなくしたものであり、前記ノイズ基準信号は、比較的スピーチをなくしたものである、請求項１１記載の集積回路。
【請求項１３】
前記デジタルオーディオ情報値の第２のストリームに対する、前記デジタルオーディオ情報値の第１のストリームの関係は、関数によって記述され、前記関数は、ノイズゲート部分、強調部分、一定利得部分、圧縮部分、およびリミッタ部分を含む、請求項１１記載の集積回路。
【請求項１４】
前記ＡＤＲＣメカニズムは、第１の組の命令と、プロセッサとの組み合わせであり、前記プロセッサによる前記第１の組の命令の実行は、前記デジタルオーディオ情報値の第２のストリームを発生させる、請求項１１記載の集積回路。
【請求項１５】
前記ＡＶＣメカニズムは、第２の組の命令と、プロセッサとの組み合わせであり、前記プロセッサによる前記第２の組の命令の実行は、前記デジタルオーディオ情報値の第２のストリームを、前記利得によって増幅させる、請求項１４記載の集積回路。
【請求項１６】
前記第１のマイクロフォン信号は、前記ＭＭＡＮＣメカニズム上で、第１のレートで受け取られるデジタル値のストリームであり、前記ＭＭＡＮＣメカニズムによる出力である前記ノイズ基準信号は、前記第１のレートに近似している第２のレートで前記ＭＭＡＮＣによって調整される、請求項１１記載の集積回路。
【請求項１７】
ノイズ基準信号の関数として、利得を制御する手段と、
デジタルオーディオ情報値のストリームを発生させる、オーディオダイナミックレンジ制御メカニズムと、
オーディオ基準信号と、前記ノイズ基準信号とを非線形処理して、単一の時間ドメイン信号へと結合させる非線形処理メカニズムと
を具備し、
前記ノイズ基準信号は、マルチマイクロフォンアクティブノイズキャンセルを使用して発生され、前記デジタルオーディオ情報値のストリームに対して、利得が適用され、
前記非線形処理メカニズムは、前記オーディオ基準信号と、前記ノイズ基準信号とを周波数ドメイン中でブレークアップして、それぞれの基準信号の異なる帯域の複数のスペクトルコンポーネントに対して、可変利得を計算する装置。
【請求項１８】
前記オーディオダイナミックレンジ制御メカニズムは、プロセッサと、プロセッサ読み取り可能メモリ中に記憶されている１組の命令との組み合わせであり、前記プロセッサによる前記１組の命令の実行は、前記デジタルオーディオ情報値のストリームを発生させる、請求項１７記載の装置。
【請求項１９】
前記マルチマイクロフォンアクティブノイズキャンセルを実施する手段をさらに具備し、これによって、前記ノイズ基準信号を発生させる、請求項１７記載の装置。
【請求項２０】
ブラインド信号分離（ＢＳＳ）を実施する手段をさらに具備し、これによって、前記ノイズ基準信号を発生させる、請求項１７記載の装置。
【請求項２１】
前記装置は、移動体デバイス中に配置されている単一の集積回路であり、移動体デバイスは、デジタルメディアプレーヤー、デジタルオーディオプレーヤー、ＭＰ３プレーヤー、パーソナルデジタルアシスタント、ラップトップコンピュータ、ポータブルコンピュータ、移動体通信デバイス、およびセルラ電話機からなるグループから選ばれる、請求項１７記載の装置。
【手続補正２】
【補正対象書類名】明細書
【補正対象項目名】００３６
【補正方法】変更
【補正の内容】
【００３６】
説明の目的で、ある特定の実施形態を上で説明したが、本発明はこれらに制限されていない。したがって、特許請求の範囲に述べられる本発明の範囲を逸脱することなく、上で説明した特定の実施形態のさまざまな変形、適応、および組み合わせを実行することができる。  
以下に、本願出願の当初の特許請求の範囲に記載された発明を付記する。
［１］（ａ）マルチマイクロフォンアクティブノイズキャンセル（ＭＭＡＮＣ）を実施して、これによって、オーディオ基準信号と、ノイズ基準信号とを発生させることと、
（ｂ）デジタルオーディオ情報値のストリームにオーディオダイナミックレンジ制御（ＡＤＲＣ）を実施して、これによって、圧縮されたデジタルオーディオ情報値のストリームを発生させることと、
（ｃ）前記圧縮されたデジタルオーディオ情報値のストリームに自動音量制御（ＡＶＣ）を実施することと
を含み、前記ＡＶＣの利得は前記ノイズ基準信号の関数である方法。
［２］前記（ａ）のＭＭＡＮＣ、前記（ｂ）のＡＤＲＣ、および、前記（ｃ）のＡＶＣは、プロセッサ上での命令の実行によって実施される動作であり、前記プロセッサは、移動体オーディオデバイスの一部である、上記［１］の方法。
［３］前記方法はセルラ電話機によって行われ、前記（ａ）のＭＭＡＮＣはまた、ノイズキャンセルされたマイクロフォン信号の発生をもたらし、前記ノイズキャンセルされたマイクロフォン信号は、デジタル値のストリームであり、
前記方法は、
前記ノイズキャンセルされたマイクロフォン信号上に、ボコーダエンコーディング機能を実施することをさらに含む、上記［１］の方法。
［４］前記（ｃ）のＡＶＣは、音量制御されたデジタル値のストリームを発生させ、
前記方法は、
前記音量制御されたデジタル値のストリームを、アナログ信号に変換することと、
前記アナログ信号を使用して、スピーカーを駆動することと
をさらに含む、上記［１］の方法。
［５］前記（ｂ）のＡＤＲＣは、前記デジタルオーディオ情報値のストリームに対して利得を適用することを含み、前記利得は、前記デジタルオーディオ情報値のストリームの振幅の関数である、上記［１］の方法。
［６］前記関数は、ノイズゲート部分、強調部分、一定利得部分、圧縮部分、およびリミッタ部分を含む、上記［５］の方法。
［７］前記ステップ（ａ）、（ｂ）、および（ｃ）は、セルラ電話機上で実施され、オーディオ基準信号は、スピーチ基準信号である、上記［１］の方法。
［８］前記ステップ（ａ）、（ｂ）、および（ｃ）は、デジタルオーディオプレーヤー上で実施される、上記［１］の方法。
［９］前記（ａ）のノイズ基準信号を、制御値に変換することをさらに含み、前記制御値は、少なくとも部分的に、前記（ｃ）のＡＶＣの利得を決定する、上記［１］の方法。
［１０］前記（ｃ）のＡＶＣの前記利得は、１）前記ノイズ基準信号と、２）利用可能なヘッドルームの量との両方の関数である、上記［１］の方法。
［１１］第１のマイクロフォン信号と第２のマイクロフォン信号を受け取り、ノイズ基準信号を出力する、マルチマイクロフォンアクティブノイズキャンセル（ＭＭＡＮＣ）メカニズムと、
デジタルオーディオ情報値の第１のストリームを受け取って、デジタルオーディオ情報値の第２のストリームを出力する、オーディオダイナミックレンジ制御（ＡＤＲＣ）メカニズムと、
前記デジタルオーディオ情報値の第２のストリームを、利得によって増幅する、自動音量制御（ＡＶＣ）メカニズムと
を具備し、
前記利得は、前記ノイズ基準信号の関数として調整される、集積回路。
［１２］前記ＭＭＡＮＣメカニズムは、ブラインド信号分離（ＢＳＳ）を実施し、前記ノイズ基準信号と、スピーチ基準信号との両方を発生させ、前記スピーチ基準信号は、比較的ノイズをなくしたものであり、前記ノイズ基準信号は、比較的スピーチをなくしたものである、上記［１１］の集積回路。
［１３］前記デジタルオーディオ情報値の第２のストリームに対する、前記デジタルオーディオ情報値の第１のストリームの関係は、関数によって記述され、前記関数は、ノイズゲート部分、強調部分、一定利得部分、圧縮部分、およびリミッタ部分を含む、上記［１１］の集積回路。
［１４］前記ＡＤＲＣメカニズムは、第１の組の命令と、プロセッサとの組み合わせであり、前記プロセッサによる前記第１の組の命令の実行は、前記デジタルオーディオ情報値の第２のストリームを発生させる、上記［１１］の集積回路。
［１５］前記ＡＶＣメカニズムは、第２の組の命令と、プロセッサとの組み合わせであり、前記プロセッサによる前記第２の組の命令の実行は、前記デジタルオーディオ情報値の第２のストリームを、前記利得によって増幅させる、上記［１４］の集積回路。
［１６］前記第１のマイクロフォン信号は、前記ＭＭＡＮＣメカニズム上で、第１のレートで受け取られるデジタル値のストリームであり、前記ＭＭＡＮＣメカニズムによる出力である前記ノイズ基準信号は、前記第１のレートに近似している第２のレートで前記ＭＭＡＮＣによって調整される、上記［１１］の集積回路。
［１７］ノイズ基準信号の関数として、利得を制御する手段と、
デジタルオーディオ情報値のストリームを発生させる、オーディオダイナミックレンジ制御メカニズムと
を具備し、
前記ノイズ基準信号は、マルチマイクロフォンアクティブノイズキャンセルを使用して発生され、前記デジタルオーディオ情報値のストリームに対して、利得が適用される装置。
［１８］前記オーディオダイナミックレンジ制御メカニズムは、プロセッサと、プロセッサ読み取り可能メモリ中に記憶されている１組の命令との組み合わせであり、前記プロセッサによる前記１組の命令の実行は、前記デジタルオーディオ情報値のストリームを発生させる、上記［１７］の装置。
［１９］前記マルチマイクロフォンアクティブノイズキャンセルを実施する手段をさらに具備し、これによって、前記ノイズ基準信号を発生させる、上記［１７］の装置。
［２０］ブラインド信号分離（ＢＳＳ）を実施する手段をさらに具備し、これによって、前記ノイズ基準信号を発生させる、上記［１７］の装置。
［２１］前記装置は、移動体デバイス中に配置されている単一の集積回路であり、移動体デバイスは、デジタルメディアプレーヤー、デジタルオーディオプレーヤー、ＭＰ３プレーヤー、パーソナルデジタルアシスタント、ラップトップコンピュータ、ポータブルコンピュータ、移動体通信デバイス、およびセルラ電話機からなるグループから選ばれる、上記［１７］の装置。